(57)【要約】【課題】前面扉と筐体との継ぎ目に形成される隙間を用いた不正行為を防止する。【解決手段】上部前面扉４及び下部前面扉５の各側壁面の内側に第１カバー２６を設ける。筐体３の内部に、これら第１カバー２６に対応するように第２カバー２７、及び第２カバー２７を移動させるための移動機構を設ける。下部前面扉５を閉じると、第１ソレノイド４２が作動を開始して、第２カバー２７を上方に移動させる。第２カバー２７が所定量上方に移動すると第２ソレノイド４３が作動を開始して、第２カバー２７が筐体３の後面側に移動する。第１カバー２６の先端２６ｂが第２カバー２７の溝部２７ａに、第２カバー２７の先端２７ｃが第１カバー２６の溝部２６ａにそれぞれ挿入される。これにより、それぞれの前面扉４，５と筐体３との継ぎ目に形成される隙間６５を内側から覆うことができ、異物の挿入を防止することができる。【選択図】        図９
2004261507.tif 000002
【特許請求の範囲】
【請求項１】
遊技の際に作動される各種装置、及びこれら各種装置を作動制御するための制御回路装置とが組み込まれた筐体と、当該筐体の前面に回動自在に設けられる前面扉と、前記前面扉が筐体の前面に位置したことを受けて、前面扉と筐体との間に形成された隙間及びその近傍を筐体の内側から覆うカバー手段とを備えたことを特徴とする遊技機。
【請求項２】
前記カバー手段は、前記前面扉の側壁面に設けられる部材と、筐体内部に設けられる部材との２つの部材を有するとともに、これら部材の少なくとも一方を移動させることにより、前記隙間及びその近傍を筐体の内側から覆うことを特徴とする請求項１記載の遊技機。
【請求項３】
前記２つの部材は、それぞれの先端部に少なくとも１つの溝部が形成され、前記２つの部材のいずれか一方を移動させたときに、これら部材の一方の先端が、他方の溝部に挿入されることを特徴とする請求項２記載の遊技機。
【請求項４】
前記カバー手段を複数設けるとともに、これら複数のカバー手段により遊技機の側壁面に形成される隙間を全周にかけて筐体の内側から覆うことを特徴とする請求項１〜３いずれか記載の遊技機。
【発明の詳細な説明】
【０００１】
【発明の属する技術分野】
本発明は、パチンコ店などの遊技場に設置して使用されるスロットマシン等の遊技機に関するものである。
【０００２】
【従来の技術】
パチンコ店などの遊技場に設置して使用されるスロットマシンはパチスロ機と称され、その遊技媒体となっているメダルに一定の価値が与えられて、ゲーム（遊技）を行った際に、入賞を得ることができた場合にその入賞に対する遊技媒体が払い出されるようになっている。このスロットマシンは、リールユニットやホッパー装置等の各種装置と、これら装置を作動制御するための制御回路が、内部に組み込まれた筐体と、この筐体内部を被覆する位置と、筐体内部を露呈する位置との間で回動自在となる前面扉とを有している。前面扉は、スロットマシンの始動時やメンテナンス等を行う場合にのみ開けられるようになっている。なお、筐体と前面扉との継ぎ目には、筐体側にスポンジやゴム等が取り付けられ、前面扉を閉めた時の衝撃を抑制している。
【０００３】
【発明が解決しようとする課題】
しかしながら、上記筐体に取り付けられるスポンジやゴムは、衝撃吸収材としての機能しか有していないため、筐体と前面扉との継ぎ目には隙間が生じてしまう。このため、筐体と前面扉との継ぎ目に生じた隙間から針金等の異物を無理矢理挿入して、内部に設けられた制御回路の端子や、制御回路と各種装置とを繋ぐハーネス等を短絡させるという不正行為（いわゆるゴト行為）が行われてしまうという問題がある。
【０００４】
本発明は、上記課題を解決するために発明されたものであり、筐体と前面扉との隙間を利用した不正行為を防止できるようにした遊技機を提供することを目的とする。
【０００５】
【課題を解決するための手段】
上記目的を達成するために、本発明の遊技機は、遊技の際に作動される各種装置、及びこれら各種装置を作動制御するための制御回路装置とが組み込まれた筐体と、当該筐体の前面に回動自在に設けられる前面扉と、前記前面扉が筐体の前面に位置したことを受けて、前面扉と筐体との間に形成された隙間及びその近傍を筐体の内側から覆うカバー手段とを備えたものである。
【０００６】
また、前記カバー手段は、前記前面扉の側壁面に設けられる部材と、筐体内部に設けられる部材との２つの部材を有するとともに、これら部材の少なくとも一方を移動させることにより、前記隙間及びその近傍を筐体の内側から覆うことが好ましい。また、前記２つの部材は、それぞれの先端部に少なくとも１つの溝部が形成され、前記２つの部材のいずれか一方を移動させたときに、これら部材の一方の先端が、他方の溝部に挿入されることが好ましい。また、前記カバー手段を複数設けるとともに、これら複数のカバー手段により遊技機の側壁面に形成される隙間を全周にかけて筐体の内側から覆うことが好ましい。
【０００７】
【発明の実施の形態】
図１に示すように、スロットマシン２は、筐体３の前面に設けられた２枚の前面扉（以下、上部前面扉４及び下部前面扉５とする）を有している。これら前面扉のうち上部前面扉４には表示窓６が設けられ、この表示窓６の奥に第１リール７ａ，第２リール７ｂ，第３リール７ｃが回転自在に組み込まれている。周知のように、第１〜第３リール７ａ〜７ｃの外周には様々な絵柄が一定ピッチで配列され、リールが停止した状態では対応する表示窓６を通して１リール当たり３個の絵柄が観察される。これにより、各リールの絵柄を１個ずつ組み合わせた直線状の入賞ラインが横３本斜め２本の合計５本設定されている。この第１〜第３リール７ａ〜７ｃの側方には液晶表示装置８が設けられ、例えばアニメーション表示を利用した演出を行う。なお、表示窓６の個数は１つに限定する必要はなく、例えば各々のリール毎に表示窓を設けるようにしてもよい。
【０００８】
下部前面扉５の上部には、ゲームの開始時に操作される１枚ベットボタン１０、ＭＡＸベットボタン１１、ペイアウトボタンなどの各種の操作ボタンの他に、メダルを投入するためのメダル投入口１２が設けられている。なお、これらの操作ボタンの機能はいずれも周知であるので、その詳細については省略する。また、これら操作ボタンの下部には、メダルベットが行われた後に操作されるスタートレバー１５や、スタートレバー１５の操作により回転するリールを停止させるための第１〜第３ストップボタン１６〜１８等が設けられる。符号１９はメダル受け皿であり、入賞を得た場合に入賞に対応する枚数のメダルが払い出される場所である。なお、上部前面扉４は下部前面扉５を開けないと、開けることができないようになっている。
【０００９】
図２は上部前面扉及び下部前面扉を開けた状態を示す斜視図、図３はカバー手段及びその移動機構の一例を示す斜視図である。なお、図２では煩雑さを防ぐため、筐体３の内部に組み付けられるリールユニット、ホッパー装置等の各種装置、又これら装置を作動制御するための制御回路基板等は省略して示すものとする。
【００１０】
カバー手段は、第１カバー２６，第２カバー２７の２つのカバーから構成される。第１カバー２６の一端の断面は略釣針形状となって溝部２６ａが形成される。この第１カバー２６は、上部前面扉４及び下部前面扉５の側壁面の各面に、その内側に組み付けられる。これにより、第１カバー２６はそれぞれの前面扉４，５に対して４個ずつ組み付けられる。なお、上部前面扉４及び下部前面扉５を閉じると、第１カバー２６の一部が筐体３の内部に挿入される。なお、前面扉を閉めた場合に第１カバー２６の一部が筐体の内部に挿入されなくてもよい。
【００１１】
第２カバー２７は、上部前面扉４及び下部前面扉５に組み付けられた第１カバー２６のそれぞれに対応するように、筐体３の内部に計８個組み込まれる。なお、この第２カバー２７は、後述する移動機構２８とともに筐体３の内部に組み付けられる。この第２カバー２７は断面がクランク形状から構成され、その一端が第１カバー２６と同様に、断面が略釣針形状となって溝部２７ａが形成される。また、この第２カバー２７の長手方向の両端は折れ曲がっており、これら折れ曲がった部分２７ｂの内側には、それぞれ２つのガイドピン３０が形成されている（図４参照）。このガイドピン３０は後述する移動機構２８のホルダ４０に形成されたガイド穴４０ｄ，４０ｅに挿通される。この第２カバー２７が移動した場合には、第１カバー２６の溝部２６ａに第２カバー２７の先端２７ｃが挿入される。同様に、第１カバー２６の先端２６ｂが第２カバー２７の溝部２７ａに挿入される。これにより、前面扉と筐体３との継ぎ目に生じる隙間を内側から覆うことになる。なお、符号２７ｄは当接面であり、第２カバー２７が移動した際に筐体３の内壁面と当接する箇所である。なお、第１カバー及び第２カバーの形状や、第１カバー及び第２カバーの先端形状は、本実施形態に限定されるものではなく、適宜形成されるものとする。
【００１２】
移動機構２８は、支持板３５と、この支持板３５の両端に設けられた２つの駆動部３６とから構成される。なお、駆動部３６の構成が同一であるので、以下では、一方の駆動部についてのみ説明する。また、移動機構に組み込まれる駆動部の個数及び配置位置はこれに限定されるものではなく、スロットマシンの内部構成を考慮して適宜配置するようにしてよいものとする。
【００１３】
図４に示すように、駆動部３６は、ホルダ４０、ブラケット４１、第１ソレノイド４２、第２ソレノイド４３から構成される。ホルダ４０は略方形状を有しており、内部に第１ソレノイド４２が組み付けられる。このホルダ４０の前面には舌片４０ａが設けられ、コイルバネ４６の一端が取り付けられる。このホルダ４０の左右側面には、ガイドピン４０ｂ，４０ｃがそれぞれ形成されている。これらガイドピンのうち、ガイドピン４０ｂはブラケット４１に形成されたガイド穴４１ａに、ガイドピン４０ｃは支持板３５に形成されたガイド穴３５ｂにそれぞれ挿入される。また、ホルダ４０の右側面（図４中手前側）には、ガイドピン４０ｃの他に、２つのガイド穴４０ｄ，４０ｅが形成されている。これらガイド穴４０ｄ，４０ｅには、第２カバー２７のガイドピン３０がそれぞれ挿通される。また、ホルダ４０の後面には開口４０ｆが形成され、第２ソレノイド４３の駆動鉄芯が挿通される。
【００１４】
ブラケット４１は、ホルダ４０を所定位置に位置決めするために設けられ、支持板３５の上面に組み付けられる。このブラケット４１にはガイド穴４１ａが形成されており、このガイド穴４１ａにホルダ４０の側面に形成されたガイドピン４０ｂが挿通される。これにより、ホルダ４０の移動方向が筐体３の奥行き方向に規制される。
【００１５】
第１ソレノイド４２は、ブラケット４２ａを介してホルダ４０の内部に組み付けられる。駆動鉄芯４２ｂの一端は方形状の当接部４２ｃを有しており、この当接部４２ｃが第２カバー２７の底面と当接する。この第１ソレノイド４２への給電が行われると、駆動鉄芯４２ｂがボビン４２ｄから突出し、第２カバー２７を上方にスライドさせる。そして、第１ソレノイド４２への給電が停止すると、第２カバーに取り付けられたコイルバネ４６の付勢を受けて、駆動鉄芯４２がボビン４２ｄの内部へと移動する。
【００１６】
第２ソレノイド４３は支持板３５に組み付けられている。この第２ソレノイド４３の駆動鉄芯４３ａは、ホルダ４０の後面に形成された開口４０ｆに挿通され、駆動鉄芯４３ａの一端に形成された係止部４３ｂがホルダ４０の内壁面と当接する。この駆動鉄芯４３ａはコイルバネ４７に挿通されており、このコイルバネ４７の一端がホルダ４０の後面に、他端が第２ソレノイド４３のブラケット４３ｃにそれぞれ当接する。なお、第２ソレノイド４３のブラケット４３ｃは支持板３５に組み付けられているので、コイルバネ４７はホルダ４３ｄを前面扉に向けて付勢する。この第２ソレノイド４３に給電が行われると、駆動鉄芯４３ａがボビン４３ｄの内部に引き込まれる。駆動鉄芯４３ａの係止部４３ｂはホルダ４０の内壁に当接しているので、駆動鉄芯４３ａがボビン４３ｄに引き込まれると、コイルバネ４７の付勢に抗してホルダ４０が第２ソレノイド４３に向けて移動する。
【００１７】
図５は、上記構成を有する移動機構２８を作動させるための機能ブロック図を示す。第１検出センサー５０は、上部前面扉４が筐体３の前面に位置しているか否かを検出するために設けられる。同様に、第２検出センサー５１は下部前面扉５が筐体３の前面に位置しているか否かを検出するために設けられる。これら検出センサー５０，５１からの出力を受けて、ＣＰＵ５２は第１ソレノイド４２に給電を開始する。
【００１８】
第１フォトインタラプタ（以下、ＰＩ）５３は、第１ソレノイド４２により上方に移動する第２カバー２７が所定の位置まで移動したか否かを検出するために設けられている。この第１ＰＩ５３により第２カバー２７が検出されたことを受けて、ＣＰＵ５２は第２ソレノイド４３に給電を開始する。第２ＰＩ５４は、第２ソレノイド４３が作動した際に、第２カバー２７が所定位置まで移動しているか否かを検出するためのものである。
【００１９】
ロック解除スイッチ５５は、下部前面扉５に設けられたキーシリンダに組み込まれている。図６に示すように、キーシリンダ６０には、初期位置（図６で示す２点鎖線Ａ）、前記第１ソレノイド４２及び第２ソレノイド４３への給電を停止する停止位置（図６で示す２点鎖線Ｂ）、下部前面扉５と筐体３との係合を解除する解除位置（図６で示す２点鎖線Ｃ）が設けられている。例えばキーシリンダ６０に鍵６１を挿入し、停止位置（図６で示す２点鎖線Ｂ）まで回転させると、ロック解除スイッチ５５がオンとなる。これを受けて、ＣＰＵ５２は、第２ソレノイド４３、第１ソレノイド４２の順で給電を停止する。鍵６１を回転させ、解除位置（図６で示す２点鎖線Ｃ）まで移動させことにより、下部前面扉５と筐体３との係合が解除され、下部前面扉５を開けることが可能となる。すなわち、第１カバー２６と第２カバー２７との係合及び解除は、鍵６１の操作に連動して行われるように構成されているのである。
【００２０】
次に、本発明を実施したスロットマシンの作用について説明する。スロットマシンの主電源をオンするために、鍵６１をキーシリンダ６０に差し込んで解除位置（図６で示す２点鎖線Ｃ）まで回転させると、下部前面扉５と筐体４との係合が解除され、下部前面扉５を開けることが可能となる。そして、下部前面扉５を開け、図示しない主電源をオンにし、下部前面扉５を閉じる。主電源をオンにすると、上部前面扉４は閉じているので、第１検出センサ５０による検出信号がＣＰＵ５２に入力される。下部前面扉５を閉じると、第２検出センサ５１からＣＰＵ５２に向けて検出信号が出力される。これにより、第１検出センサ５０及び第２検出センサ５１からの検出信号が、それぞれＣＰＵ５２に向けて出力される。これを受けて、ＣＰＵ５２は、第１ソレノイド４２に給電を開始する。なお、このとき、第１カバー２６の一部は筐体３の内部に挿入されている。
【００２１】
図７に示すように、第１ソレノイド４２に給電が行われると、第１ソレノイド４２の駆動鉄芯４２ｂが駆動して第２カバー２７を上方に押し上げる。第２カバー２７のガイドピン３０は、ホルダ４０の側壁面に設けられたガイド穴４０ｄ，４０ｅに挿通されているので、ガイドピン３０がガイド穴４０ｄ，４０ｅに案内され、第２カバーが上方（図７中矢印Ｄ方向）に移動する。図８に示すように、ガイドピン３０がガイド穴４０ｄ，４０ｅの端部とそれぞれ当接すると、第２カバー２７の移動が停止する。第２カバーの移動が停止すると、第２カバーの当接面２７ｄが筐体３の内壁面と当接する。そして、第１ＰＩ５３による第２カバー２７の位置検出が行われると、ＣＰＵ５２は第２ソレノイド４３に給電を開始する。
【００２２】
第２ソレノイド４３に給電を開始すると、第２ソレノイド４３の駆動鉄芯４３ａがボビン４３ｄの内部に挿入される方向（図８中矢印Ｅ方向）にスライドを開始する。駆動鉄芯４３ａの係止部４３ｂは、ホルダ４０の内壁面と当接しているので、この駆動鉄芯４３ａがボビン４３ｄの内部に引き込まれると、ホルダ４０がコイルバネ４７の付勢に抗して図中矢印の方向にスライドする。この際、ホルダ４０に設けられたガイドピン４０ｂ，４０ｃがブラケット４１のガイド穴４１ａ及び支持板３５のガイド穴３５ｂ内を移動する。そして、これらガイドピン４０ｂ，４０ｃが、それぞれのガイド穴の端部４１ａ，３５ｂに当接するとホルダ４０のスライドが停止する。
【００２３】
図９に示すように、第２カバー２７が筐体３の後面にスライドされると、第２カバー２７の先端２７ｃが第１カバー２６の溝部２６ａに挿入されるとともに、第２カバー２７の溝部２７ａに第１カバー２６の先端２６ｂが挿入される。これにより、第１カバー２６と第２カバー２７とにより、例えば上部前面扉４と筐体３との間に形成された隙間６５を内側から覆うことになる。この場合、第１カバーにより隙間６５を内側から覆っているが、これらカバーによってより強固に隙間を覆うことができる。また、隙間６５から針金等の異物を第１カバー２６を押しのけて強引に挿入させた場合でも、第１カバー２６と第２カバーとが複雑に組み合わされているので、針金等の異物の挿入を困難にすることができる。これにより、前面扉と筐体との隙間を利用した不正行為を防止することができる。
【００２４】
なお、第１カバー２６及び第２カバー２７により隙間６５を内側から覆っている場合に、スロットマシン２の設定変更及びメンテナンスを行う場合には、まず鍵６０をキーシリンダ６１に挿入し、停止位置（図６中２点鎖線Ｂ）まで回転させる。鍵６０を停止位置まで回転させると、ロック解除スイッチ５５がオンとなり、第２ソレノイド４３への給電を停止する。これを受けて、第２カバー２７が、コイルバネ４７の付勢を受けてスライドする。これにより、第１ＰＩ５３により第２カバー２７が検出されるので、ＣＰＵ５２は第１ソレノイド４２の給電を停止する。第１ソレノイド４２への給電が停止すると、コイルバネ４６の付勢により、第２カバーが図７に示す位置まで移動する。その後、鍵６０を解除位置まで回転させると、下部前面扉５と筐体３とを係合するロック機構が解除され、下部前面扉５を開けることが可能となる。そして、作業が終了し、下部前面扉５を閉じると、再び移動機構２８が作動し、筐体３と上部前面扉４、筐体３と下部前面扉５との隙間が第１カバー２６及び第２カバー２７により内側から覆われる。
【００２５】
本実施形態では、第１カバーと、筐体との間に生じる隙間については触れていないが、電磁石を用いて第１カバーと筐体との隙間を無くすようにしてもよい。なお、本実施形態と同様の機能を有する部材には同符号を用いて説明する。この場合、図１０に示すように、筐体３の側壁面に、且つ全周にわたって電磁石７０を取り付ける。そして、第２カバー２７がスライドした後に電磁石７０に給電を行って、第１カバー２６を磁力により筐体３側に引きつける。これにより、第１カバー２６を筐体３に引きつけることができ、強引に異物を挿入することが困難になる。なお、この場合、第１カバー２６を筐体の内壁面側へと押圧するソレノイドを前面扉に取り付けても同様である。
【００２６】
本実施形態では、第２カバーを上下方向及び前後方向に移動させたが、これに限定する必要はなく、第１カバーと第２カバーのそれぞれを移動させてもよい。この場合、図１１〜１３に示すように、前面扉７５に、第１カバー７６及び第１ソレノイド７７を組み付ける。前面扉７５を閉めると、第１ソレノイド７７が作動して、駆動鉄芯７７ａがコイルバネ７８の付勢に抗してボビン７７ｂの内部に引き込まれる。これにより、駆動鉄芯７７ａの係合部７７ｃに押圧され、第１カバー７７が図中Ｘ方向に移動する。
【００２７】
第１カバー７６が所定量移動したことを受けて、第２ソレノイド７９が作動する。第２ソレノイド７９が作動すると、駆動鉄芯７９ａがコイルバネ８０の付勢に抗してボビン７９ｂの内部に引き込まれる。この際、駆動鉄芯７９ａの先端に形成された係合部７９ｃに押圧され、第２カバー８１が図中Ｙ方向に移動する。これにより、第１カバー７６の先端７６ａが第２カバー８１の溝部８１ｂと、第２カバー８１の先端８１ａが第１カバー７６の溝部７６ｂと、それぞれ組み合わされる。この場合、一方のカバーを２方向に移動する必要がないので、駆動部の構成を簡略化することができる。なお、前面扉７５を閉めた場合に、第１カバー７６が筐体８２内部に挿入されていなくても同様である。なお、符号８３は、ブラケットであり、この場合は、第１及び第２カバー７６，８１とともに、カバー手段を構成する。また、符号８４は支持板である。
【００２８】
本実施形態では、上部前面扉及び下部前面扉を閉じることを検出して、移動機構を作動させ、第２カバーを移動させるようにしたが、これに限定する必要はなく、例えば、鍵の操作により、移動機構を作動させ、第１カバー又は第２カバーのいずれかを移動させるようにしてもよい。また、移動機構の駆動部を複数のソレノイドから構成したが、これに限定する必要はなく、カム機構や、ギヤ機構等を使用した機械式の移動機構としてもよい。また、移動機構を第２カバーの個数分設けたが、これに限定する必要はなく、移動機構を駆動部の他に、連動部を設け、第２カバー全てを連動させて移動させるようにしてもよい。
【００２９】
本実施形態では、隣りあう第１カバーからなる隅の部分についての記載を省略しているが、隅の部分は、第１及び第２カバーが干渉しないように予め切り欠いておき、異なるカバー手段を用いて、隣接する部分を遮蔽するようにしてもよい。また、それぞれの移動機構の作動開始に時間差を設け、移動する第２カバーの干渉を防止するようにしてもよい。
【００３０】
また、この他に、前面扉と筐体との継ぎ目を密着させて、密着させた部分の圧力変化を検出するようにしてもよい。この場合、図１４に示すように、筐体９０の前面扉９１との継ぎ目となる部分を全周にかけて金属部材（図１４中符号９２）から形成する。この金属部材９２に溝部９２ａを全周にかけて形成する。この溝部９２ａの内側及び外側にＯリングやパッキン等のシール部材９３、９４を取り付ける。そして、前面扉９１を閉じた場合に、筐体９０の内部に設けられた真空ポンプ９５を作動させて、この溝部９２ａの内部を真空状態にする。なお、この溝部９２ａには圧力センサ９６が設けられており、例えば、前面扉９１と筐体９０の隙間から異物が挿入された場合には、溝部９２ａの圧力が変化する。圧力センサ９６からの検出信号は常にＣＰＵに出力されており、ＣＰＵ９７は、圧力変化が所定値を超えた場合に警報装置９８を作動させるようにする。このようにすることで、本実施形態と同様の効果が得られるとともに、前面扉９１と筐体９０との継ぎ目の密閉力を上げることが可能となる。なお、圧力センサ９６は、真空から大気圧までを計測できるものとする。また、真空ポンプ９５からの導管（パイプ）の個数及び設置箇所については記載しないが、適宜設けられるものとする。
【００３１】
本実施形態では、上部前面扉と下部前面扉との２枚の扉を有するスロットマシンの例を取り上げたが、これに限定する必要はなく、１枚の前面扉を有するスロットマシンにも有効である。また、スロットマシンに限定する必要はなく、パチンコ機等の他の遊技機に本発明を用いてもよい。
【００３２】
【発明の効果】
以上のように、本発明の遊技機によれば、遊技の際に作動される各種装置、及びこれら各種装置を作動制御するための制御回路装置とが組み込まれた筐体と、当該筐体の前面に回動自在に設けられる前面扉と、前記前面扉が筐体の前面に位置したことを受けて、前面扉と筐体との間に形成された隙間及びその近傍を筐体の内側から覆うカバー手段とを備えたので、前面扉と筐体との継ぎ目に形成される隙間を利用した不正行為を防止することができる。
【図面の簡単な説明】
【図１】本発明を実施したスロットマシンの外観を示す斜視図である。
【図２】上部前面扉及び下部前面扉を開けた状態を示す斜視図である。
【図３】カバー手段及び移動機構の一例を示す斜視図である。
【図４】駆動部の構成を分解して示す斜視図である。
【図５】移動機構を作動させるための構成を示す電気的ブロック図である。
【図６】鍵の初期位置、停止位置及び解除位置を示す斜視図である。
【図７】前面扉を閉めた場合の状態を示す断面図である。
【図８】第１ソレノイドが作動した状態を示す断面図である。
【図９】第２ソレノイドが作動した状態を示す断面図である。
【図１０】筐体の側壁面に電磁石を設けた場合を示す断面図である。
【図１１】前面扉に第１カバーと第１ソレノイドとを設けた場合に、前面扉を閉じた状態を示す断面図である。
【図１２】第１ソレノイドが作動した状態を示す断面図である。
【図１３】第２ソレノイドが作動した状態を示す断面図である。
【図１４】前面扉と筐体との継ぎ目に、且つ筐体側に金属部材を設け、この金属部材に設けられた溝部の内部の圧力変化から不正行為を検知する場合の実施形態を示す断面図である。
【符号の説明】
２  スロットマシン
３  筐体
４  上部前面扉
５  下部前面扉
２６  第１カバー
２７  第２カバー
２８  移動機構
３６  駆動部
４２  第１ソレノイド
４３  第２ソレノイド
５０  第１検出センサー
５１  第２検出センサー
５２  ＣＰＵ
５３  第１フォトトランジスタ
５４  第２フォトトランジスタ
５５  ロック解除スイッチ
６０  キーシリンダ
６１  鍵
【図１】
2004261507.tif 000003
【図２】
2004261507.tif 000004
【図３】
2004261507.tif 000005
【図４】
2004261507.tif 000006
【図５】
2004261507.tif 000007
【図６】
2004261507.tif 000008
【図７】
2004261507.tif 000009
【図８】
2004261507.tif 000010
【図９】
2004261507.tif 000011
【図１０】
2004261507.tif 000012
【図１１】
2004261507.tif 000013
【図１２】
2004261507.tif 000014
【図１３】
2004261507.tif 000015
【図１４】
2004261507.tif 000016